(57)【特許請求の範囲】
【請求項１】
天板と、
床面上に立設し前記天板を支持する支持部と、を備え、
前記床面と前記天板との間の内部空間には、
該内部空間の下部側に位置し電子機器が収容される電子機器収容部と、
該電子機器収容部の上部に隣接するとともに該電子機器収容部と連通し、該電子機器収容部の空気を前記内部空間の外方へ排出する排熱ファンが収容される排熱ファン収容部と、
該排熱ファン収容部の前側に隣接し、前記天板に形成された開口部を介して前記天板の上方の空間と連通可能に設けられ、配線が収容される配線収容部と、が形成され、
前記排熱ファン収容部は、前記開口部および前記配線収容部を通して前記天板の上方の空間と連通可能であり、
前記排熱ファンは、前記天板の上方の空間から前記配線収容部を介して着脱可能であることを特徴とするデスクシステム。
【請求項２】
前記配線収容部は、前記電子機器収容部の上部に隣接するとともに、該電子機器収容部および前記排熱ファン収容部と通気可能であることを特徴とする請求項１に記載のデスクシステム。
【請求項３】
前記電子機器収容部と前記配線収容部との間、および前記排熱ファン収容部と前記配線収容部との間には、着脱可能であるとともに互いを区画する区画板が設けられていて、
前記区画板には通気孔が形成されていることを特徴とする請求項２に記載のデスクシステム。
【請求項４】
前記天板には、前記開口部を閉塞可能な閉塞部材が設けられていることを特徴とする請求項１乃至３のいずれか１項に記載のデスクシステム。
【請求項５】
前記閉塞部材の縁部および前記開口部の縁部の少なくとも一方には、他方と当接する弾性部材が設けられ、前記弾性部材を弾性変形させることで前記配線収容部と前記天板の上方の空間との間で配線可能であることを特徴とする請求項４に記載のデスクシステム。
【発明の詳細な説明】
【技術分野】
【０００１】
本発明は、オフィスやトレーダールームなどの執務空間にて使用され、内部に電子機器を収容可能なデスクシステムに関する。
【背景技術】
【０００２】
従来より、オフィスやトレーダールームなどの執務空間では、天板下などの内部に電子機器を収容可能なデスクシステムが使用されている。このようなデスクシステムには、例えば特許文献１および２に開示されているように、収容された電子機器から生じた熱を外部へ排出する排熱ファンを備えているものがある。
【先行技術文献】
【特許文献】
【０００３】
【特許文献１】特開平１０−１０５２８４号公報
【特許文献２】特開２００１−２５１号公報
【発明の概要】
【発明が解決しようとする課題】
【０００４】
しかしながら、内部に排熱ファンを備えているデスクシステムでは、排熱ファンの取付・取り外し作業やメンテナンス作業などをデスクシステムの内部で行うため、作業スペースが狭く作業を行いにくいという問題がある。特に近年、搭載する電子機器の性能向上もあって排熱ファンによる冷却性能の向上が求められて排熱ファンが大型化しており、取付・取り外し作業やメンテナンス作業を行いにくい。
【０００５】
本発明は、上述する問題点に鑑みてなされたもので、デスクシステムの内部に収容された電子機器から生じた熱を効率よく外部に排出できるとともに、排熱ファンの取付・取り外し作業やメンテナンス作業を容易に行うことができるデスクシステムを提供することを目的とする。
【課題を解決するための手段】
【０００６】
上記目的を達成するため、本発明に係るデスクシステムは、天板と、床面上に立設し前記天板を支持する支持部と、を備え、前記床面と前記天板との間の内部空間には、該内部空間の下部側に位置し電子機器が収容される電子機器収容部と、該電子機器収容部の上部に隣接するとともに該電子機器収容部と連通し、該電子機器収容部の空気を前記内部空間の外方へ排出する排熱ファンが収容される排熱ファン収容部と、該排熱ファン収容部の前側に隣接し、前記天板に形成された開口部を介して前記天板の上方の空間と連通可能に設けられ、配線が収容される配線収容部と、が形成され、前記排熱ファン収容部は、前記開口部および前記配線収容部を通して前記天板の上方の空間と連通可能であり、前記排熱ファンは、前記天板の上方の空間から前記配線収容部を介して着脱可能であることを特徴とする。
【０００７】
本発明では、電子機器収容部の空気を内部空間の外方へ排出する排熱ファンを備えていることにより、電子機器から生じた熱によって高温となった空気を効率よく内部空間の外方へ排出することができる。
ここで、天板には配線収容部の上方に開口部が形成されていて、排熱ファン収容部が開口部および配線収容部を通して天板の上方の空間と連通可能である。このため、使用者は、天板の上方の空間から開口部および配線収容部を通して排熱ファンにアクセスすることができる。すなわち、使用者は、天板の上方から、開口部及び配線収容部を通して排熱ファンの取付・取り外し作業やメンテナンス作業を行うことができるため、天板下部の狭いスペースで排熱ファンの取付・取り外し作業やメンテナンス作業を行う従来のデスクシステムと比べて、排熱ファンの取付・取り外し作業やメンテナンス作業を容易に行うことができる。
【０００８】
また、本発明に係るデスクシステムでは、前記配線収容部は、前記電子機器収容部の上部に隣接するとともに、該電子機器収容部および前記排熱ファン収容部と通気可能であることが好ましい。
このように、配線収容部は、電子機器収容部の上部に隣接するとともに、電子機器収容部および排熱ファン収容部と通気可能であることにより、電子機器から生じた熱によって高温となった空気の一部は、配線収容部を介して排熱ファン収容部へ移動することができる。そして、電子機器から生じた熱によって高温となった空気が排熱ファンへ移動するための移動経路を広く確保することができるため、内部空間の排熱効果を高めることができる。
【０００９】
また、本発明に係るデスクシステムでは、前記電子機器収容部と前記配線収容部との間、および前記排熱ファン収容部と前記配線収容部との間には、着脱可能であるとともに互いを区画する区画板が設けられていて、前記区画板には通気孔が形成されていることが好ましい。
このように、電子機器収容部と配線収容部との間、および排熱ファン収容部と配線収容部との間には、着脱可能であるとともに互いを区画する区画板が設けられていて、区画板には通気孔が形成されていることにより、高温となった空気を排熱ファンへ案内しつつ使用者が配線収容部で作業しているときに排熱ファンや電子機器に接触することを確実に防ぐことができる。
【００１０】
また、本発明に係るデスクシステムでは、前記天板には、前記開口部を閉塞可能な閉塞部材が設けられていることが好ましい。
このように、天板には、開口部を閉塞可能な閉塞部材が設けられていることにより、開口部を閉塞すれば、開口部から配線収容部に空気が流入することを防止できる。このため、排熱ファンは、開口部から配線収容部に流入した空気を吸引することがなく、電子機器収容部の空気を外部へ確実に排出することができるため、排熱効果を高めることができる。
【００１１】
また、本発明に係るデスクシステムでは、前記閉塞部材の縁部および前記開口部の縁部の少なくとも一方には、他方と当接する弾性部材が設けられ、前記弾性部材を弾性変形させることで前記配線収容部と前記天板の上方の空間との間で配線可能であることが好ましい。
このように、閉塞部材の縁部および開口部の縁部の少なくとも一方には、他方と当接する弾性部材が設けられていることにより、開口部を確実に閉塞することができる。また、開口部を挿通するケーブルなどが設置されている場合に、ケーブルの側面に弾性部材が弾性変形して密着することによって、ケーブルが挿通されたことによってできる開口部と閉塞部材との隙間を少なくすることができる。
【発明の効果】
【００１２】
本発明によれば、デスクシステムの内部に収容された電子機器から生じた熱を効率よく外部に排出できるとともに、排熱ファンの取付・取り外し作業やメンテナンス作業を容易に行うことができる。
【図面の簡単な説明】
【００１３】
【図１】本発明の実施形態によるデスクシステムの一例を示す図である。
【図２】図１に示すデスクシステムの前面図である。
【図３】天板部を説明する図である。
【図４】電子機器収容部を説明する図である。
【図５】排熱ファン収容部および配線収容部を説明する図である
【図６】排熱ファンの取付・取り外し作業およびメンテナンス作業を説明する図である。
【図７】排熱ファンの取付・取り外し作業およびメンテナンス作業を説明する斜視図である。
【発明を実施するための形態】
【００１４】
以下、本発明の実施形態によるデスクシステムについて、図１乃至図７に基づいて説明する。
図１および図２に示すように、本実施形態によるデスクシステム１は、平面視矩形状の天板部（天板）２と、床面Ｆ上に立設し天板部２の両側端部を支持する１対の支持部３，３と、を備えている。
図１に示すように、天板部２と床面Ｆとの間には内部空間Ｓが形成されている。そして、この内部空間Ｓは、電子機器１１が収容される電子機器収容部Ｓ１と、電子機器収容部Ｓ１の空気を内部空間Ｓの外方に排出する排熱ファン１２が収容される排熱ファン収容部Ｓ２と、電子機器１１と接続される配線１３や天板部２上にて使用される機器に接続される配線１３などが収容される配線収容部Ｓ３と、から構成されている。この配線１３とは、電子機器１１と電源や各種機器、照明装置と電源などを接続するために用いられるものであり、電源用や通信用の各種ケーブルのみならず、ＯＡタップ、ローゼットなども含む。
【００１５】
また、デスクシステム１は、天板部２において、使用者が位置する前部と反対側の後部で上側に突出するように立設する支柱４を備えており、この支柱４にはディスプレイ１４が取り付けられている。
そして、図１において、ディスプレイ１４は、表示画面が、使用者（不図示）が図中の左側となる前側から図中右側となる後側を見ることで確認できるように支柱４に取り付けられている。
【００１６】
図１および図３に示すように、天板部２は、電子機器１１およびディスプレイ１４と接続されたキーボード１５（図１参照）などが載置される天板本体２１と、天板本体２１よりも後側に位置し支柱４が固定される支柱固定部２２とを備えている。天板本体２１および支柱固定部２２は、ともに支持部３，３に支持されている。
天板本体２１と支柱固定部２２とは、同じ高さに前後方向へ互いに間隔をあけるように設置されている。この天板本体２１と支柱固定部２２との間には、配線用開口部（開口部）２３が形成されている。
【００１７】
配線用開口部２３は、配線収容部Ｓ３の上部に位置している。そして、この配線用開口部２３を介して配線収容部Ｓ３と天板部２の上方の空間とが連通可能で、使用者が天板部２の上方の空間から配線収容部Ｓ３へアクセス可能となるように構成されている。また、配線用開口部２３は、天板部２の上方の空間から配線収容部Ｓ３へ配線１３が挿入可能であるとともに、使用者が天板部２の上方の空間から手を挿入して配線収容部Ｓ３で作業ができる大きさに形成されている。配線用開口部２３は、天板部２の略全幅にわたって形成されている。
また、天板部２は、配線用開口部２３を閉塞可能なカバー部材（閉塞部材）２４を備えている。なお、カバー部材２４は、１つ部材で配線用開口部２３を閉塞する形態としてもよく、複数の部材で配線用開口部２３を閉塞する形態としてもよい。
【００１８】
カバー部材２４には、その前端部および後端部にゴムなどの弾性部材２５が取り付けられている。カバー部材２４が配線用開口部２３に設置されると、弾性部材２５が配線用開口部２３の縁部と接触し、配線用開口部２３を略密閉することができる。
また、図３に示すように、配線用開口部２３に配線（ケーブル）１３が挿通された状態でカバー部材２４を設置すると、弾性部材２５が配線１３の側面に沿った形状に弾性変形し、配線１３とカバー部材２４との隙間を少なくすることができる。
更に、使用者がカバー部材２４を配線開口部２３へ取り付けたり、配線開口部２３から取り外したりする際に、弾性部材２５を弾性変形させることでカバー部材２４を持ち易くすることができる。
本実施形態では、弾性部材２５は、中空の管状に形成されている。なお、弾性部材２５は、帯状など他の形状に形成されていてもよい。また、弾性部材２５は、カバー部材２４の前端部および後端部だけでなく側端部に取り付けられていてもよい。
【００１９】
図１および図３に示すように、支柱固定部２２は、横方向に延在するとともに前後方向に所定の間隔をあけて設置された一対の角型パイプ２６，２６を備えている。
一対の角型パイプ２６，２６は、横方向複数箇所に設けられた固定手段３０によって一体とされている。固定手段３０は、一対の角型パイプ２６，２６の上下にそれぞれ設置された板部材２７，２８（図１参照）と、一対の角型パイプ２６，２６間に挿通されて２つの板部材２７，２８同士を連結する固定具２９とを有する。そして、一対の角型パイプ２６、２６は、固定具２９によって連結された板部材２７、２８により上下側から挟持されることで一体となるように固定されている。なお、隣り合う固定手段３０は、所定の間隔をあけて一対の角型パイプ２６，２６に取り付けられており、一対の角型パイプ２６，２６間は、固定手段３０が取り付けられている部分以外は、上下方向に貫通している。
また、固定手段３０の上側の板部材２７には支柱４が固定されており、板部材２７は支柱４の支持手段としても機能している。
なお、一対の角型パイプ２６，２６に対して、固定手段３０を取り付ける位置や、固定手段３０の数は適宜設定されてもよい。
【００２０】
図４に示すように、天板部２と床面Ｆとの間の内部空間Ｓにおいて、後側には後面パネル３１が、両側方には側面パネル３２，３２が、それぞれ配設されている。また、内部空間Ｓの前側には開口部３３が形成されるとともに開口部３３を開放・閉塞する扉３４が設置されている。
なお、天板部２を複数配列して使用する場合は、配列された複数の天板部２の両側方に側面パネル３２，３２が配設されていてもよい。
内部空間Ｓは、扉３４で開口部３３を閉塞することで、外部と区画された状態となっている。
【００２１】
本実施形態では、扉３４は２枚の中折れ戸３５，３５からなる中折れ観音式扉となっている。具体的には、中折れ戸３５の一方の端部３５ａが水平面内において回転可能に取り付けられて、他方の端部３５ｂが開口部３３に設けられたレール３６に沿って水平方向に移動することで、開口部３３を開放・閉鎖している。
そして、扉３４を開放したときに、２枚の中折れ戸３５，３５の他方の端部３５ｂをレール３６から外すことによって、開口部３３を更に拡張することができる。
【００２２】
図１に示すように、電子機器収容部Ｓ１は、内部空間Ｓにおいて下部側に位置している。また、排熱ファン収容部Ｓ２および配線収容部Ｓ３は、内部空間Ｓにおいて上部側に位置している。そして、排熱ファン収容部Ｓ２および配線収容部Ｓ３は前後方向に隣接しており、後側に排熱ファン収容部Ｓ２、前側に配線収容部Ｓ３となるように配されている。
電子機器収容部Ｓ１は、開口部３３に面していて、開口部３３からのアクセスが可能となっている。また、排熱ファン収容部Ｓ２および配線収容部Ｓ３は、天板部２と面していて、配線収容部Ｓ３については上記のとおり天板部２に設けられた配線用開口部２３からアクセスすることが可能となっている。
電子機器収容部Ｓ１、排熱ファン収容部Ｓ２および配線収容部Ｓ３は、それぞれ内部空間Ｓの全幅にわたって形成されている。
【００２３】
電子機器収容部Ｓ１には、収容される電子機器１１を載置するとともに床面Ｆ上を走行するキャスター３７を備えた棚板３８が設置されている。そして、扉３４を開いて開口部３３を開放した状態で棚板３８を移動させることで、電子機器１１を電子機器収容部Ｓ１に出し入れすることができる。
【００２４】
図１および図５に示すように、電子機器収容部Ｓ１と配線収容部Ｓ３との間には、両者を区画するための第１区画板（区画板）４１および第２区画板（区画板）４２が横方向に複数配列されている。第１区画板４１および第２区画板４２は、前後方向に隣接しており、後側に第１区画板４１、前側に第２区画板４２が設置されている。第１区画板４１および第２区画板４２には、複数のスリット（通気孔）４３（図５参照）が形成されている。
そして、第１区画板４１および第２区画板４２に複数のスリット４３が形成されていることにより、電子機器収容部Ｓ１および配線収容部Ｓ３間における空気の流出入が可能となっている。
【００２５】
電子機器収容部Ｓ１と配線収容部Ｓ３との間には、前後方向に延在する長尺の支持材４４が横方向に互いに間隔をあけて複数設置されている。第１区画板４１および第２区画板４２は、複数の支持材４４の上に設置されていて、支持材４４に対して着脱可能に構成されている。第１区画板４１および第２区画板４２の上において、配線収容部Ｓ３となる範囲には配線１３（図１参照）が載置されている。
【００２６】
図５に示すように、第１区画板４１は、面方向を水平面とする水平板部４１ａと、水平板部４１ａの後端部に接続されて面方向を鉛直方向とする鉛直板部４１ｂと、水平板部４１ａの前端部に接続されて上方に立ち上がる立ち上がり部４１ｃとを備えている。
鉛直板部４１ｂは、排熱ファン収容部Ｓ２と配線収容部Ｓ３との間に位置し、その上端部は天板部２の下面近傍まで達している。
また、立ち上がり部４１ｃは、鉛直板部４１ｂよりも低く、配線収容部Ｓ３の空間を分割しない高さに形成されている。
スリット４３は、水平板部４１ａおよび鉛直板部４１ｂに形成されている。そして、鉛直板部４１ｂにスリット４３が形成されていることにより、電子機器収容部Ｓ１および排熱ファン収容部Ｓ２間における空気の流出入が可能となっている。
また、第１区画板４１には、水平板部４１ａの横方向の端部に、配線１３（図１参照）が挿通される切欠き部４１ｄが形成されている。
【００２７】
第２区画板４２は、側面視略Ｃ字型状に形成され、面方向を水平方向とする水平板部４２ａと、水平板部４２ａの前端部および後端部に接続されている立ち上がり部４２ｂとを備えている。スリット４３は、水平板部４１ａに形成されている。
立ち上がり部４２ｂは第１区画板４１の立ち上がり部４１ｃと同様に、配線収容部Ｓ３の空間を分割しない高さに形成されている。
また、第２区画板４２には、水平板部４２ａの横方向の端部に、配線１３（図１参照）が挿通される切欠き部４２ｄが形成されている。
【００２８】
図１および図５に示すように、排熱ファン収容部Ｓ２は、支持材４４の上側に位置している。そして、排熱ファン１２は、支持材４４に固定具４６で固定されている。なお、本実施形態では、排熱ファン１２は、防振ゴム４７（図５参照）を介して支持材４４に固定されている。
また、本実施形態では、排熱ファン１２に横方向に延設されたクロスファンが使用されており、下方および側方の空気を吸引するとともに、この空気を上方へ排出している。
排熱ファン１２の下方には電子機器収容部Ｓ１が位置し、側方には配線収容部Ｓ３が位置しているため、排熱ファン１２は電子機器収容部Ｓ１および配線収容部Ｓ３の空気を吸引している。
そして、排熱ファン１２は、吸引した空気を上方に排出し、この排熱ファン１２から排出された空気は、支柱固定部２２の一対の角型パイプ２６，２６の間から天板部２の上方へ排出されている。ここで、この支柱固定部２２の一対の角型パイプ２６，２６の間を排熱用開口部４８とする。排熱用開口部４８は排熱ファン１２の上部に位置している。
【００２９】
図１に示すデスクシステム１において、電子機器１１を使用することによって電子機器１１から熱が生じると、この熱によって電子機器収容部Ｓ１の電子機器１１周辺の空気が高温となる。電子機器収容部Ｓ１の高温となった空気は上昇し、排熱ファン収容部Ｓ２および配線収容部Ｓ３へ移動する。このとき、電子機器収容部Ｓ１から配線収容部Ｓ３へ上昇する空気は、図５に示す第１区画板４１の水平板部４１ａおよび第２区画板４２の水平板部４２ａに形成されたスリット４３を通過している。
また、排熱ファン１２が駆動していることにより、電子機器収容部Ｓ１および配線収容部Ｓ３の空気が排熱ファン１２に吸引される。このとき、配線収容部Ｓ３から排熱ファン１２に吸引される空気は、図５に示す第１区画板４１の鉛直板部４１ｂに形成されたスリット４３を通過している。
そして、排熱ファン１２に吸引された空気は、上方に向かって強制的に送風され、排熱用開口部４８から天板部２の上方の空間へ排出される。
なお、図５に示すように、扉３４には、通気用のスリット３４ａが形成されているため、電子機器収容部Ｓ１には外部から空気が流入している。
【００３０】
図６および図７に示すように、配線収容部Ｓ３は、第１区画板４１を取り外すと、前後方向に隣接する排熱ファン収容部Ｓ２と連通した状態となっている。そして、この状態において、使用者が天板部２の上方の空間から配線用開口部２３および配線収容部Ｓ３を通して排熱ファン１２に接触できるようになっている。
また、配線収容部Ｓ３および配線用開口部２３は、排熱ファン１２を出し入れ可能な大きさに形成されていて、排熱ファン１２の取付・取り外し作業やメンテナンス作業を天板部２の上方の空間から行うことができるようになっている。
【００３１】
なお、排熱ファン１２の取付・取り外し作業やメンテナンス作業を行うときは、図６に示すように、まず、カバー部材２４（図６参照）を外して、配線用開口部２３を開放させる。続いて、第１区画板４１および第２区画板４２を取り外して排熱ファン収容部Ｓ２と配線収容部Ｓ３とを連通させる。そして、天板部２の上方の空間から、配線用開口部２３および配線収容部Ｓ３を介して排熱ファン１２の取付・取り外し作業やメンテナンス作業を行う。
【００３２】
具体的には、排熱ファン１２をデスクシステム１から取り外すときには、まず第１区画板４１を取り外す。次に、排熱ファン１２と支持材４４との固定を解除し、支持材４４上で排熱ファン１２を配線収容部Ｓ３へスライドさせる。そして、排熱ファン１２を持ち上げて配線用開口部２３から天板部２の上方へと取り出すことで、排熱ファン１２がデスクシステム１から取り外される。
排熱ファン１２を取り付けるときは、同様にまず第１区画板４１を取り外す。次に、排熱ファン１２を配線用開口部２３から配線収容部Ｓ３へ挿入し、支持材４４に沿って排熱ファン収容部Ｓ２へスライドさせて支持材４４へ固定する。
このように、配線収容部Ｓ３を排熱ファン１２の取付・取り外し作業やメンテナンス作業を行うスペースとして使用することができる。
なお、上記においては取付・取り外し作業に際して第１区画板４１を取り外すものとしたが、これに限るものではない。第１区画板４１において鉛直板部４１ｂのみを取り外すことが可能な場合には、当該鉛直板部４１ｂのみを取り外せば良く、少なくとも配線収容部Ｓ３と排熱ファン収容部Ｓ２とが連通する状態となれば良い。
【００３３】
次に、上述したデスクシステム１の効果について説明する。
本実施形態によるデスクシステム１によれば、上記のとおり天板部２の上方の空間から配線収容部Ｓ３を介して排熱ファン１２に使用者が接触することができ、配線収容部Ｓ３を作業スペースとして使用することができるため、排熱ファン１２の取付・取り外し作業やメンテナンス作業を容易に行うことができて、作業効率を向上させることができる。特に、排熱ファン１２がクロスファンのような形状が大きい場合において、作業スペースを確保することが出来るため、作業効率を向上させることができる。
【００３４】
また、電子機器１１から生じた熱によって高温となった空気の一部は配線収容部Ｓ３を介して排熱ファン１２に吸引されることにより、高温となった空気が排熱ファン収容部Ｓ２へ移動するための移動経路を広く確保することができるため、内部空間Ｓの排熱効果を高めることができる。
【００３５】
また、天板部２は配線用開口部２３を閉塞可能なカバー部材２４を備えているとともに、カバー部材２４には、その前端部および後端部にゴムなどの弾性部材２５が取り付けられているため、カバー部材２４によって配線用開口部２３が閉塞されているときは、弾性部材２５が配線用開口部２３の縁部と接触して配線用開口部２３とカバー部材２４との隙間を少なくすることができる。
これにより、配線用開口部２３とカバー部材２４との隙間から配線収容部Ｓ３へ空気が流入することが少ないため、外部の空気が直接排熱ファン１２に吸引されることがなく、電子機器１１から生じた熱によって高温となった空気を効率よく外部へ排出することができる。
【００３６】
また、配線用開口部２３に配線（ケーブル）１３が挿通されているときに、弾性部材２５が配線１３の形状に沿って弾性変形するため、配線１３が挿通されていても、カバー部材２４と配線用開口部２３の縁部との隙間を少なくすることができる。
また、配線収容部Ｓ３と電子機器収容部Ｓ１との間に、第１区画板４１および第２区画板４２が設けられて、第１区画板４１の鉛直板部４１ｂが、配線収容部Ｓ３と排熱ファン収容部Ｓ２とを区画しているため、配線収容部Ｓ３で作業する使用者が排熱ファン１２および電子機器１１に接触する懼れがなく、安全性を高めることができる。また、配線収容部Ｓ３に配設された配線１３などが電子機器１１や排熱ファン１２と接触することを防止することができる。
【００３７】
以上、本発明によるデスクシステム１の実施形態について説明したが、本発明は上記の実施形態に限定されるものではなく、その趣旨を逸脱しない範囲で適宜変更可能である。
例えば、上述した実施形態では、天板部２から上方に突出する支柱４が設けられて、この支柱４にディスプレイ１４が取り付けられているが、ディスプレイ１４に代わって、照明器具や収納棚などが取り付けられていてもよい。また、支柱４を設けない形態としてもよい。
また、上述した実施形態では、電子機器収容部Ｓ１と配線収容部Ｓ３とは第１区画板４１および第２区画板４２に形成されたスリット４３によって空気の出入が可能であるが、電子機器収容部Ｓ１と配線収容部Ｓ３との空気の出入を遮断して、電子機器１１から生じる熱が配線収容部Ｓ３を介さずに排熱ファン収容部Ｓ２へ流入する形態としてもよい。
【００３８】
また、上述した実施形態では、カバー部材２４の前端部および後端部に弾性部材２５が取り付けられているが、カバー部材２４に弾性部材２５を設けずに、配線用開口部２３の縁部に弾性部材２５を取り付けてもよい。また、カバー部材２４の前端部および後端部、配線用開口部２３の縁部の両方に弾性部材２５を取り付けてもよく、これら両方に弾性部材２５を取り付けていなくてもよい。
また、上述した実施形態では、配線収容部Ｓ３は、電子機器収容部Ｓ１の上部に隣接していて、電子機器収容部Ｓ１と通気可能であるが、電子機器収容部Ｓ１と離間していてもよく、また、電子機器収容部Ｓ１と通気可能でなくてもよい。
【００３９】
また、上述した実施形態では、一対の支持部３，３で天板部２を支持しているが、天板部２を支持する支持部３の数は２つ以外でもよい、
また、上述した実施形態では、天板部２と床面Ｆとの間の内部空間Ｓには、後側に後面パネル３１が設置されているが、２台のデスクシステム１をその後面が互いに対向するように設置する場合は、後面パネル３１を設置しなくてもよい。
【符号の説明】
【００４０】
１  デスクシステム
２  天板部（天板）
３  支持部
１１  電子機器
１２  排熱ファン
１３  配線
２３  配線用開口部（開口部）
２４  カバー部材（閉塞部材）
２５  弾性部材
４１  第１区画板（区画板）
４２  第２区画板（区画板）
４３  スリット（通気孔）
Ｓ１  電子機器収容部
Ｓ２  排熱ファン収容部
Ｓ３  配線収容部  
Ｆ  床面
【図１】
0005683184.tif 000002
【図２】
0005683184.tif 000003
【図３】
0005683184.tif 000004
【図４】
0005683184.tif 000005
【図５】
0005683184.tif 000006
【図６】
0005683184.tif 000007
【図７】
0005683184.tif 000008